(57)【要約】【課題】光量モニタの信号ラインに乗るノイズを小さくすることで光ディスクに入射する光の光量を安定させ、安定した情報の記録や再生を行う光ピックアップ装置を提供する。【解決手段】本発明の光ピックアップ装置はレーザ光源１と、レーザ光源１を駆動する駆動回路１６と、光量モニタ１４と、ＦＰＣ２５と、レーザ光源１と駆動回路１６と光量モニタ１４とＦＰＣ２５を搭載しグラウンドと電気的に接続されているキャリッジ２１と、ＦＰＣ２５を押さえるようにキャリッジ２１に設置されてグラウンドと電気的に接続されているピックカバー２２を備えている。ＦＰＣ２５を押さえるピックカバー２２をキャリッジ２１とともにグラウンドと電気的に接続することでＦＰＣをシールドし、外部からのノイズを遮断することができる。【選択図】図２
2006146978.tif 000002
【特許請求の範囲】
【請求項１】
レーザ光源と、前記レーザ光源を駆動する駆動回路と、前記レーザ光源から出射された光を受光する光量モニタと、ＦＰＣと、前記レーザ光源と前記駆動回路と前記光量モニタと前記ＦＰＣを搭載しグラウンドと電気的に接続されているキャリッジと、前記ＦＰＣを押さえるように前記キャリッジに設置されて前記グラウンドと電気的に接続されているピックカバーを備えたことを特徴とする光ピックアップ装置。
【請求項２】
前記ピックカバーは前記キャリッジを介して前記グラウンドと電気的に接続されていることを特徴とする請求項１に記載の光ピックアップ装置。
【請求項３】
前記ピックカバーを前記キャリッジに固着するとともに電気的に接続させる金属ネジを備えたことを特徴とする請求項２に記載の光ピックアップ装置。
【請求項４】
前記金属ネジは前記キャリッジの側面に設置されたことを特徴とする請求項３に記載の光ピックアップ装置。
【請求項５】
請求項１に記載の光ピックアップ装置と、光量制御回路と、光ディスクを回転させる回転駆動手段と、前記回転駆動手段に対して前記光ピックアップ装置を近づけたり離したりする移動手段を備えたことを特徴とする光ディスク装置。
【発明の詳細な説明】
【技術分野】
【０００１】
本発明はパーソナルコンピュータ、特にノートブック型パーソナルコンピュータ等に搭載される光ディスク装置に好適に用いられる光ピックアップ装置および光ディスク装置に関するものである。
【背景技術】
【０００２】
光学記録媒体として、ＤＶＤ、ＣＤ−Ｒ、ＣＤ−ＲＷ等の種々の光ディスクが開発されている。ＤＶＤにおいては波長約６６０ｎｍのレーザ光により情報の記録または再生が行われる。一方、ＣＤ−ＲやＣＤ−ＲＷにおいては波長約７８０ｎｍのレーザ光により情報の記録または再生が行われる。
【０００３】
図を参照しながら従来の光ピックアップ装置について説明する。図４は従来の光ピックアップ装置の光学系の概略構成図である。簡単のために光源は１つとし、ＲＦ信号、トラッキングエラー信号、フォーカスエラー信号等を生成するための光学系の構成は省略した。
【０００４】
レーザ光源１０１は上記に示すＤＶＤ用あるいはＣＤ用の情報の記録または再生を行うためのレーザ光を出射する半導体レーザダイオードである。ＤＶＤ用とＣＤ用の光源を近接して設置した２波長半導体レーザ光源としても良い。
【０００５】
レーザ光源１０１から出射された光（以下、往路光という。）はビームスプリッタ１０２に入射する。ビームスプリッタ１０２は偏光分離膜を斜面にはさんだプリズムである。ビームスプリッタ１０２は往路光を光ディスク１０７へ向かう光とレーザ光源１０１の光量制御に使われる光量モニタ１０９へ向かう光とに分離する。さらに光ディスク１０７で反射された光（以下、復路光という。）をレーザ光源１０１には戻さずに受光器１０８へ向かうように往路光と復路光を分離する。
【０００６】
光ディスク１０７に向かった往路光はコリメートレンズ１０３に入射する。コリメートレンズ１０３は発散光である往路光を平行光にあるいは平行光である復路光を集束光にする働きをするレンズで、光学ガラスまたは光学プラスチックで作製される。
【０００７】
コリメートレンズ１０３で平行光に変換された往路光はさらに立ち上げミラー１０４で反射されて１／４波長板１０５に入射する。立ち上げミラー１０４はそれまで光ディスク１０７の面と略平行だった光路を略垂直に立ち上げるミラーである。１／４波長板１０５は直線偏光である往路光を円偏光に変換し、円偏光である復路光を往路光とは垂直の直線偏光に変換するように水晶等の複屈折性光学材料で作製される。
【０００８】
１／４波長板１０５を通過した往路光は光ディスク１０７で焦点を結ぶように対物レンズ１０６で集束光に変換される。対物レンズ１０６は光学ガラスまたは光学プラスチックで作製される。光ディスク１０７はＤＶＤ用およびＣＤ用の各種ディスクである。
【０００９】
光ディスク１０７で反射された光は対物レンズ１０６、１／４波長板１０５、立ち上げミラー１０４、コリメートレンズ１０３を通過し、ビームスプリッタ１０２に入射する。復路光はビームスプリッタ１０２で往路光と分離されて受光器１０８に入射する。受光器１０８は復路光を受光し、ＲＦ信号、トラッキングエラー信号、フォーカスエラー信号などを生成する電気信号を出力する。
【００１０】
一方、ビームスプリッタ１０２で分離された往路光の一部は光量モニタ１０９に入射する。光量モニタ１０９は受光量に応じた電気信号を出力する。光量制御回路１１０は光ディスク装置本体（図示せず）にあり、光量モニタ１０９で出力された電気信号に基づいて光量モニタ１０９の出力すなわち光ディスク１０７に入射する光の光量が一定になるように駆動回路１１１を制御する。
【００１１】
光ディスク１０７に対する記録や再生を安定して行うためには光ディスク１０７に入射する光の光量を安定させることが必要である。そのために光量モニタ１０９へ入射する光の光量を安定させることが行われてきた（特許文献１参照のこと。）。
【特許文献１】特開２００３−２９６９５８号公報
【発明の開示】
【発明が解決しようとする課題】
【００１２】
近年、ＣＤ系ばかりでなく、ＤＶＤ系でも記録が可能になり、また光ディスク装置の小型化の要請の中で光ピックアップ装置も小型化がされてきた。そうした中で、光量モニタの信号ラインに光ピックアップ装置の外部に起因するノイズが乗ることが明らかになってきた。光量モニタの信号ラインにノイズが乗るとレーザ光源から出力されるレーザ光の光量が不安定になる。そのため光ディスクに入射する光の光量が不安定になり、光ディスクに対する記録や光ディスクからの再生に不具合が生じることがわかってきた。従来の方法は定常状態での光量を安定させる方法であり、ノイズのような外乱に対し対応できるものではなかった。
【００１３】
本発明は従来の問題点を解決するもので、光量モニタの信号ラインに乗るノイズを小さくすることで光ディスクに入射する光の光量を安定させ、安定した情報の記録や再生を行う光ピックアップ装置および光ディスク装置を提供することを目的とする。
【課題を解決するための手段】
【００１４】
上記目的を達成するために本発明は、レーザ光源と、前記レーザ光源を駆動する駆動回路と、前記レーザ光源から出射された光を受光する光量モニタと、ＦＰＣと、前記レーザ光源と前記駆動回路と前記光量モニタと前記ＦＰＣを搭載しグラウンドと電気的に接続されているキャリッジと、前記ＦＰＣを押さえるように前記キャリッジに設置されて前記グラウンドと電気的に接続されているピックカバーを備えた光ピックアップ装置とした。光量モニタの信号ラインが通っているＦＰＣを押さえるピックカバーをキャリッジとともにグラウンドと電気的に接続することでＦＰＣをシールドし、外部からのノイズを遮断した。
【発明の効果】
【００１５】
本発明の光ピックアップ装置は、光量モニタの信号ラインが通っているＦＰＣを押さえるピックカバーをキャリッジとともにグラウンドと電気的に接続することでＦＰＣをシールドしたため、外部からのノイズを遮断できる。その結果、光量モニタの信号ラインに乗るノイズを小さくでき光ディスクに入射する光の光量が安定して、安定した情報の記録や再生を行うことができる。
【発明を実施するための最良の形態】
【００１６】
本発明の第１の発明はレーザ光源と、前記レーザ光源を駆動する駆動回路と、前記レーザ光源から出射された光を受光する光量モニタと、ＦＰＣと、前記レーザ光源と前記駆動回路と前記光量モニタと前記ＦＰＣを搭載しグラウンドと電気的に接続されているキャリッジと、前記ＦＰＣを押さえるように前記キャリッジに設置されて前記グラウンドと電気的に接続されているピックカバーを備えた光ピックアップ装置である。光量モニタの信号ラインが通っているＦＰＣを押さえるピックカバーをキャリッジとともにグラウンドと電気的に接続することでＦＰＣをシールドしたため、外部からのノイズを遮断できる。その結果、光量モニタの信号ラインに乗るノイズを小さくでき光ディスクに入射する光の光量が安定して、安定した情報の記録や再生を行うことができる。
【００１７】
第２の発明は、第１の発明において、前記ピックカバーは前記キャリッジを介して前記グラウンドと電気的に接続されている光ピックアップ装置であり、構成を簡単にすることができる。
【００１８】
第３の発明は第２の発明において、前記ピックカバーを前記キャリッジに固着するとともに電気的に接続させる金属ネジを備えた光ピックアップ装置であり、確実に前記ピックカバーを前記キャリッジと電気的に接続することができる。
【００１９】
第４の発明は、第３の発明において、前記金属ネジは前記キャリッジの側面に設置された光ピックアップ装置であり、前記光ピックアップ装置を薄くすることができる。
【００２０】
第５の発明は、第１の発明の光ピックアップ装置と、光量制御回路と、光ディスクを回転させる回転駆動手段と、前記回転駆動手段に対して前記光ピックアップ装置を近づけたり離したりする移動手段を備えた光ディスク装置であり、安定した情報の記録や再生を行うことができる。
【００２１】
（実施の形態１）
本発明の実施の形態１における光ピックアップ装置について図面を参照しながら説明する。図１は本実施の形態１における光ピックアップ装置の光学系の概略構成図である。図２は本実施の形態１における光ピックアップ装置の構成図である。
【００２２】
まず、本実施の形態１における光ピックアップ装置５４の光学系の構成について説明する。第１のレーザ光源１はＤＶＤに対して情報を記録または再生するために波長λ１（６６０ｎｍ）のレーザ光を出射するレーザ光源である。反射ミラー２は第１のレーザ光源１の前方に設けられ、光学材料に全反射膜が形成されている。コリメートレンズ３は反射ミラー２の前方に設けられ、光学ガラスまたは光学プラスチックで作製される。コリメートレンズ３は第１のレーザ光源１から出射された光を略平行光に変換する。
【００２３】
一方、第２のレーザ光源１０はＣＤに対して情報を記録または再生するために波長λ２（７８０ｎｍ）のレーザ光を出射するレーザ光源である。第２のレーザ光源１０のすぐ前方に第２のレーザ光源１０から出射された光を３ビームトラッキング法に用いられる３本の光ビームに分離する回折格子１１が設けられる。回折格子１１は光学材料の表面に回折格子を形成したものである。回折格子１１に接して集積光学素子１２が設けられる。集積光学素子１２は内部に複数の傾斜面５ａ〜５ｃが設けられた光学材料で構成されており、傾斜面には偏光分離膜（図示せず）、ホログラム素子（図示せず）が形成されている。コリメートレンズ９は集積光学素子１２の前方に設けられ、光学ガラスまたは光学プラスチックで作製される。コリメートレンズ９は第２のレーザ光源１０から出射された発散光を略平行光に変換する。また、第１のレーザ光源１から出射され光ディスク８で反射された光および第２の光源１０から出射され光ディスク８で反射された光を受光器１３で集束するように集光させる。
【００２４】
ビームスプリッタ４はコリメートレンズ３およびコリメートレンズ９の前方に設けられ、光学材料で作製される。内部の斜面４ａには波長選択偏光分離膜（図示せず）が設けられる。この波長選択偏光分離膜は波長λ１のＰ偏光に対し、大半を透過、一部を反射させ、波長λ２のＰ偏光に対し、大半を反射、一部を透過させ、Ｓ偏光に対しては波長λ１の光も波長λ２の光も全反射させるように設計されている。
【００２５】
ビームスプリッタ４の光ディスク８側に設けられた立ち上げプリズム５は波長λ１の光と波長λ２の光のいずれをも高い反射率で反射する多層膜（図示せず）が形成されており、それまで光ディスク８に対し略平行であった光の向きを光ディスク８に略垂直な向きに立ち上げる。なお、立ち上げプリズム５は立ち上げミラーとしても良い。
【００２６】
ホログラム素子６は立ち上げプリズム５の光ディスク８側に設けられ、対物レンズ７とともに稼動するようにアクチュエータ２６に搭載されても良い。ホログラム素子６は偏光ホログラム６ａと１／４波長板６ｂを備える。偏光ホログラム６ａは波長λ１の光にのみ作用するよう波長選択性のある材料で作製されている。また１／４波長板６ｂは波長λ１、λ２の両方に作用するよう屈折率と厚みが設定されている。
【００２７】
対物レンズ７はホログラム素子６の光ディスク８側に設けられ、アクチュエータ２６に搭載される。対物レンズ７はそれぞれの波長に応じた光ディスク８の位置に焦点を結ぶように集光させる。なお、対物レンズ７は光学ガラスまたは光学プラスチックで作製されており、集光レンズおよびフレネルレンズまたはホログラムレンズの組み合わせ、ＤＶＤ用集光レンズにＣＤ再生時に開口制限手段を設ける組み合わせ等を用い、光ディスク８の厚みおよび開口数の違いを吸収するものも使用することができる。
【００２８】
光ディスク８はＣＤ系がＣＤ、ＣＤ−ＲＯＭ、ＣＤ−Ｒ／ＲＷ、ＤＶＤ系がＤＶＤ−ＲＯＭ、ＤＶＤ±Ｒ／ＲＷ、ＤＶＤ−ＲＡＭなどであり、ＣＤ系もＤＶＤ系も再生専用の媒体を除いて全て記録も再生も可能なものである。
【００２９】
受光器１３は集積光学素子１２の近傍に設けられ、光ディスク８からの反射光を受光し、ＲＦ信号、トラッキングエラー信号、フォーカスエラー信号などを生成する電気信号に変換し出力する受光素子である。
【００３０】
光量モニタ１４は第１のレーザ光源１から出射されてビームスプリッタ４で反射された光および第２のレーザ光源１０から出射されてビームスプリッタ４で透過した光を受光できる位置に設けられる。光量モニタ１４へ入射する光の光量はビームスプリッタ４の波長選択偏光分離膜の反射率および透過率が波長で決まっているため第１のレーザ光源１および第２のレーザ光源１０から出射された光の光量に応じた光量である。光量モニタ１４はこのような受光した光量を電気信号に変換し出力する受光素子である。この電気信号は光ディスク８へ入射する集光スポットの光量が一定になるようにレーザ光源を駆動する駆動回路１６を制御する光量制御回路１５に送られる。光量制御回路１５は光ディスク装置本体に設けられる。光量モニタ１４と光量制御回路１５、光量制御回路１５と駆動回路１６、駆動回路１６と第１のレーザ光源１および第２のレーザ光源１０はそれぞれＦＰＣ２５によって電気的に接続されている。
【００３１】
次に光路について説明する。第１のレーザ光源１から出射された光は反射ミラー２で反射されてコリメートレンズ３に入射し、発散光が略平行光に変換されてビームスプリッタ４に入射する。第１のレーザ光源１から出射された光は波長λ１のＰ偏光であるので、斜面４ａの波長選択偏光分離膜はビームスプリッタ４に入射した光の一部を反射させて光量モニタ１４へ向かう光として分離し、大半を光ディスク８へ向かう光として透過させる。ビームスプリッタ４を透過した光は立ち上げプリズム５に入射し、それまで光ディスク８に対し略平行であった光の向きは光ディスク８に略垂直な向きに立ち上がる。ホログラム素子６を透過する際、偏光ホログラム６ａの影響を受けずにそのまま透過するよう光の偏光方向を設定してあるため偏光ホログラム６ａではそのまま透過し、１／４波長板６ｂでＰ偏光から円偏光に変換される。その後、対物レンズ７で集束光に変換され、光ディスク８に入射し集光される。
【００３２】
第１のレーザ光源１から出射され、光ディスク８で反射された光は対物レンズ７、ホログラム素子６、立ち上げプリズム５、ビームスプリッタ４を通過してコリメートレンズ９に入射し、その後、集積光学素子１２を経て受光器１３に入射する。
【００３３】
ホログラム素子６を再度透過する際、１／４波長板６ｂで円偏光から往きのＰ偏光とは垂直なＳ偏光に変換される。さらに偏光ホログラム６ａによりＲＦ信号、トラッキングエラー信号、フォーカスエラー信号等に対応する信号光成分に分離される。ビームスプリッタ４では入射した光はＳ偏光であるために全反射されてコリメートレンズ９に向かう。コリメートレンズ９にて光ディスク８で反射されて入射した光は受光器１３で集束するように集光させられる。
【００３４】
集積光学素子１２内の傾斜面１２ａに設けられた偏光分離膜は第２の光源１０から出射された光を透過し、第１のレーザ光源１から出射され光ディスク８で反射されてきた光を反射するような膜構成を採用している。そのため、集積光学素子１２に入射した光は傾斜面１２ａに設けられた偏光分離膜で反射されて受光器１３に入射する。偏光ホログラム６ａで分離され受光器１３に入射した各信号光成分は受光器１３で各種電気信号に変換される。
【００３５】
第２のレーザ光源１０から出射された光は回折格子１１にて３ビームトラッキング法のための３本の光ビームに分離され集積光学素子１２に入射し、集積光学素子１２を通過してコリメートレンズ９に入射される。このコリメートレンズ９で略平行光に変換され、ビームスプリッタ４に入射する。ビームスプリッタ４にて光量モニタ１４へ向かう光を一部分離して立ち上げプリズム５に向かった光は立ち上げプリズム５、ホログラム素子６、対物レンズ７を通過して光ディスク８に焦点を結ぶ。
【００３６】
第２のレーザ光源１０から出射された光が波長λ２のＰ偏光であるのでビームスプリッタ４の斜面４ａの波長選択偏光分離膜はビームスプリッタ４に入射した光の一部を透過させて光量モニタ１４へ向かう光として分離し、大半を光ディスク８へ向かう光として反射させる。
【００３７】
また、ホログラム素子６を透過する際、この波長λ２では偏光ホログラム６ａの影響を受けないのでそのまま透過し、１／４波長板６ｂでＰ偏光から円偏光に変換される。
【００３８】
第２のレーザ光源１０から出射され光ディスク８で反射された光は対物レンズ７、ホログラム素子６、立ち上げプリズム５、ビームスプリッタ４、コリメートレンズ９を通過し、集積光学素子１２に入射する。ホログラム素子６を再度透過する際、１／４波長板６ｂで円偏光から往きのＰ偏光とは垂直なＳ偏光に変換される。そしてこの波長λ２では偏光ホログラム６ａの影響を受けないため偏光ホログラム６ａをそのまま透過する。ビームスプリッタ４では入射した光はＳ偏光であるために全反射されてコリメートレンズ９に向かい、コリメートレンズ９にて受光器１３で集束するように集光させられる。
【００３９】
集積光学素子１２内の傾斜面１２ｂに設けられた偏光分離膜は第２のレーザ光源１０から出射された光を透過し、第２のレーザ光源１０から出射され光ディスク８で反射されてきた光を反射するような膜構成を採用している。そのため集積光学素子１２に入射した光は傾斜面１２ｂに設けられた偏光分離膜で反射され、傾斜面１２ａに設けられたホログラム素子にて分離して、その分離した光は受光器１３に入射し、各種電気信号に変換される。
【００４０】
一方、第１のレーザ光源１から出射されビームスプリッタ４で反射された光および第２の光源１０から出射されビームスプリッタ４で透過された光はともに光量モニタ１４に入射する。光量モニタ１４は受光した光量を電気信号に変換し出力する。この電気信号は光ディスク８へ入射する集光スポットの光量が一定になるように駆動回路１６を制御する光量制御回路１５に送られ、駆動回路１６は第１のレーザ光源１、第２のレーザ光源１０を駆動し、波長λ１、λ２のレーザ光を出射させる。
【００４１】
次にこのように構成された本発明の実施の形態１における光ピックアップ装置５４の光学系を組み込んだ光ピックアップ装置５４について説明する。キャリッジ２１は金属、合金材料で作製された上記光学系等を組み込む骨組みである。第１のレーザ光源１、回折格子１１と集積光学素子１２と受光器１３を搭載した第２のレーザ光源１０、光量モニタ１４はＦＰＣ２５と接続され、ＦＰＣ２５は光ディスク装置本体と接続される。光量モニタ１４は接続されたＦＰＣ２５はさらに光量制御回路１５と接続される。また、受光器１３、駆動回路１６も図示していないが、ＦＰＣ２５に接続される。第１のレーザ光源１、第２のレーザ光源１０、光量モニタ１４はキャリッジ２１の所定の位置に固着され、ＦＰＣ２５は折りたたまれてキャリッジ２１内に収納される。また、キャリッジ２１はＦＰＣ２５のメカグラウンドに接続され、さらにＦＰＣ２５のメカグラウンドは光ディスク装置本体のメカグラウンドに接続される。図示しないが、反射ミラー２、コリメートレンズ３、９、ビームスプリッタ４、立ち上げプリズム５はキャリッジ２１の所定の位置に固着される。対物レンズ７を搭載したアクチュエータ２６はキャリッジ２１の所定の位置に固着され、さらにＦＰＣ２５と電気的に接続される。アクチュエータ２６はアクチュエータカバー２７で保護される。アクチュエータカバー２７は弾性のある金属、合金で作製され、複数の爪２７ａでキャリッジ２１に固定される。
【００４２】
上面ピックカバー２２と下面ピックカバー２３は弾性のある金属、合金材料で作製され、複数の爪２２ａ、２３ａでキャリッジ２１に設けられた耳に掛けられ材料の弾性で固定されている。ピックカバーは折りたたまれたＦＰＣ２５がキャリッジ２１からはみ出さないように押さえるためのものであるのでＦＰＣ２５が存在する側の上面ピックカバー２２または下面ピックカバー２３のいずれかのみでも構わない。上面ピックカバー２２と下面ピックカバー２３は爪２２ｂ、２３ｂでネジ２４を用いてキャリッジ２１に固着される。ネジ２４は金属、合金材料で作製される。ネジ２４で固着することで上面ピックカバー２２および下面ピックカバー２３はキャリッジ２１と確実に電気的に接続される。
【００４３】
ネジ２４を用いずに爪２２ａ、２３ａのみでキャリッジ２１に固定すると、電気抵抗は０．数Ω〜数Ωを示すが、ネジ２４を用いることで常に０．数Ω以下の電気抵抗を実現できる。電気抵抗が数Ωになると光量モニタ１４の信号ラインに光ピックアップ装置５４の外部に起因するノイズが乗るため、ＦＰＣ２５を押さえる上面ピックカバー２２および下面ピックカバー２３をネジ２４で固着することでノイズを抑制することができる。そのため、光ディスク８に入射する光の光量が安定し、安定した情報の記録や再生を行うことができる。
【００４４】
なお、ネジ２４は爪２２ｂおよび２３ｂを固着するようにキャリッジ２１の側面に設けている。そのため、光ピックアップ装置５４の厚さを薄くすることができる。しかし、それに限らず、上面ピックカバー２２の上面側または下面ピックカバー２３の下面側からネジ２４で固着しても良い。その場合でも確実に上面や下面ピックカバー２２、２３とキャリッジ２１の電気的な接続が得られる。
【００４５】
また、本実施の形態１では上面および下面ピックカバー２２、２３はネジ２４でキャリッジ２１と電気的に接続されているが、上面および下面ピックカバー２２、２３は例えば半田付けでキャリッジ２１と電気的に接続しても良い。その場合、上面および下面ピックカバー２２、２３とキャリッジ２１にはあらかじめ半田めっきを必要とする。また、導電性樹脂を用いて電気的に接続しても良い。半田付けや導電性樹脂で固着する場合、爪２２ｂおよび２３ｂとネジ２４が不要であり構成が簡単である。
【００４６】
さらに、本実施の形態１では上面および下面ピックカバー２２、２３はキャリッジ２１と電気的に接続されることでＦＰＣ２５のメカグラウンドと電気的に接続される。しかしそれに限るものではなく、ＦＰＣ２５のメカグラウンドと直接電気的に接続しても良い。その場合、例えば爪２２ｂおよび２３ｂに半田めっきを施し、ＦＰＣ２５の端子と半田付けをすることで実現できる。その際、キャリッジ２１とＦＰＣ２５のメカグラウンドとの接続状況如何にかかわらず、上面および下面ピックカバー２２、２３は確実にＦＰＣ２５のメカグラウンドと接続される。
【００４７】
また、本実施の形態１において光源は第１のレーザ光源１と第２のレーザ光源１０として２つの光源を設けたが、それに限らず、例えば２つの発光点を近接して設けたいわゆる２波長半導体レーザとしても良い。また、いわゆるブルーレイ、ＨＤＤＶＤといったＣＤやＤＶＤとは異なる波長の半導体レーザを用いても良いし、それらを組み合わせた光源としても良い。
【００４８】
（実施の形態２）
図３は本発明の実施の形態２における光ディスク装置の斜視図を示すものである。図３において筐体５１は上部筐体５１ａと下部筐体５１ｂを組み合わせて構成されている。トレイ５２は筐体５１に出没自在に設けられている。トレイ５２には光ディスク８を回転させる回転駆動手段であるスピンドルモータ５３、光ピックアップ装置５４が設けられている。光ピックアップ装置５４は実施の形態１に示す光ピックアップ装置で図１に示す光学系を備え、図２に示す構成をしており、光ディスク８に情報を書き込むかあるいは情報を読み出す動作の少なくとも一方を行う。そのとき光量モニタ１４の信号ラインが通っているＦＰＣ２５を押さえる上面および下面ピックカバー２２、２３はキャリッジ２１とともにＦＰＣ２５のメカグラウンドと電気的に接続されている。ＦＰＣ２５のメカグラウンドは光ディスク装置のメカグラウンドに接続されている。ＦＰＣ２５がシールドされて光量モニタ１４のＦＰＣ２５の信号ラインに乗るノイズを小さくすることができるため、光ピックアップ装置５４は光ディスク８に入射する光の光量を安定させ、安定した情報の記録や再生を行うことができる。またトレイ５２内にはスピンドルモータ５３に対して光ピックアップ装置５４を近づけたり離したりする移動手段であるフィード駆動系（図示せず）がある。ベゼル５５はトレイ５２の前端面に設けられて、トレイ５２が筐体５１内に収納された時にトレイ５２の出没口を塞ぐように構成されている。筐体５１内部やトレイ５２内部には図示していない回路基板があり、光量制御回路１５を始めとした信号処理系のＩＣや電源回路などが搭載されている。図示していない外部コネクタ５６はコンピュータ等の電子機器に設けられた電源／信号ラインと接続される。そして、外部コネクタ５６を介して光ディスク装置内に電力を供給したり、あるいは外部からの電気信号を光ディスク装置内に導いたり、あるいは光ディスク装置で生成された電気信号を外部の電子機器などに送出する。以上のような実施の形態１に示す光ピックアップ装置５４を搭載した光ディスク装置は安定した情報の記録や再生を行うことができる。
【産業上の利用可能性】
【００４９】
以上のように本発明の光ピックアップ装置および光ディスク装置は光量モニタの信号ラインに乗るノイズを小さくでき、光ディスクに入射する光の光量が安定して、安定した情報の記録や再生を行うことができ、パーソナルコンピュータ、ノートブック型コンピュータ等の電子機器に好適に用いることができる。
【図面の簡単な説明】
【００５０】
【図１】本実施の形態１における光ピックアップ装置の光学系の概略構成図
【図２】本実施の形態１における光ピックアップ装置の構成図
【図３】本発明の実施の形態２における光ディスク装置の斜視図
【図４】従来の光ピックアップ装置の光学系の概略構成図
【符号の説明】
【００５１】
１    第１のレーザ光源
２    反射ミラー
３    コリメートレンズ
４    ビームスプリッタ
５    立ち上げプリズム
６    ホログラム素子
６ａ    偏光ホログラム
６ｂ    １／４波長板
７    対物レンズ
８    光ディスク
９    コリメートレンズ
１０    第２のレーザ光源
１１    回折格子
１２    集積光学素子
１３    受光器
１４    光量モニタ
１５    光量制御回路
１６    駆動回路
２１    キャリッジ
２２    上面ピックカバー
２３    下面ピックカバー
２４    ネジ
２５    ＦＰＣ
２６    アクチュエータ
２７    アクチュエータカバー
【図１】
2006146978.tif 000003
【図２】
2006146978.tif 000004
【図３】
2006146978.tif 000005
【図４】
2006146978.tif 000006